(57)【特許請求の範囲】
【請求項１】
ネット送り局から送られ、サービスごとに時間情報としてのＳＴＣ（System Time Clock）及びＮＰＴ(Normal Play Time)、前記ＳＴＣ及び前記ＮＰＴの関係を示すＮＰＴ参照メッセージ及び前記ネット送り局の時間情報を示す第１のＰＣＲ（Program Clock Reference）値を含むＴＳ(Transport Stream)を受信するネット受け局に用いられるＴＳ処理装置において、
前記ネット受け局の時間情報を示す第２のＰＣＲ値を発生する発生手段と、
前記ネット送り局からのＴＳを受信して前記第１のＰＣＲ値を抽出する抽出手段と、
前記第１のＰＣＲ値と前記第２のＰＣＲ値との差分を求める演算手段と、
この演算手段で求められた差分データに基づいて、前記ＴＳに含まれるＮＰＴ参照メッセージ内のＳＴＣを基準とする基準ＳＴＣ値をサービスごとに補正する補正手段とを具備したことを特徴とするＴＳ処理装置。
【請求項２】
ネット送り局から送られ、サービスごとに時間情報としてのＳＴＣ（System Time Clock）及びＮＰＴ(Normal Play Time)、前記ＳＴＣ及び前記ＮＰＴの関係を示すＮＰＴ参照メッセージ及びＮＰＴ発火型イベントメッセージを含む発局ＴＳ(Transport Stream)を受信し、受局ＴＳを送出するネット受け局に用いられるＴＳ処理装置において、
前記ネット送り局から送られた発局ＴＳ内のＮＰＴを基準とする基準ＮＰＴ値と前記ＳＴＣを基準とする基準ＳＴＣ値との差分を求める第１の演算手段と、
前記受局ＴＳ内のＮＰＴを基準とする基準ＮＰＴ値と前記ＳＴＣを基準とする基準ＳＴＣ値との差分を求める第２の演算手段と、
前記ＮＰＴ発火型イベントメッセージの受信時における前記発局ＴＳ内のＳＴＣ値に前記第１の演算手段で求められた差分データを加算することで、第１の基準ＮＰＴ値を求める第３の演算手段と、
前記ＮＰＴ発火型イベントメッセージの受信時における前記受局ＴＳ内のＳＴＣ値に前記第２の演算手段で求められた差分データを加算することで、第２の基準ＮＰＴ値を求める第４の演算手段と、
前記第１の基準ＮＰＴ値と前記第２の基準ＮＰＴ値との差分を求める第５の演算手段と、
この第５の演算手段で得られた差分データに基づいて、前記ＮＰＴ発火型イベントメッセージの発火時刻を補正する補正手段とを具備したことを特徴とするＴＳ処理装置。
【請求項３】
ネット送り局から送られ、サービスごとに時間情報としてのＳＴＣ（System Time Clock）及びＮＰＴ(Normal Play Time)、前記ＳＴＣ及び前記ＮＰＴの関係を示すＮＰＴ参照メッセージ及び前記ネット送り局の時間情報を示す第１のＰＣＲ（Program Clock Reference）値を含むＴＳ(Transport Stream)を受信するネット受け局に用いられるＴＳ処理方法において、
前記ネット受け局の時間情報を示す第２のＰＣＲ値を発生し、
前記ネット送り局からのＴＳを受信して前記第１のＰＣＲ値を抽出し、
前記第１のＰＣＲ値と前記第２のＰＣＲ値との差分を求め、
この差分データに基づいて、前記ＴＳに含まれるＮＰＴ参照メッセージ内のＳＴＣを基準とする基準ＳＴＣ値をサービスごとに補正するようにしたことを特徴とするＴＳ処理方法。
【請求項４】
ネット送り局から送られ、サービスごとに時間情報としてのＳＴＣ（System Time Clock）及びＮＰＴ(Normal Play Time)、前記ＳＴＣ及び前記ＮＰＴの関係を示すＮＰＴ参照メッセージ及びＮＰＴ発火型イベントメッセージを含む発局ＴＳ(Transport Stream)を受信し、受局ＴＳを送出するネット受け局に用いられるＴＳ処理方法において、
前記ネット送り局から送られた発局ＴＳ内のＮＰＴを基準とする基準ＮＰＴ値と前記ＳＴＣを基準とする基準ＳＴＣ値との差分を求め、
前記受局ＴＳ内のＮＰＴを基準とする基準ＮＰＴ値と前記ＳＴＣを基準とする基準ＳＴＣ値との差分を求め、
前記ＮＰＴ発火型イベントメッセージの受信時における前記発局ＴＳ内のＳＴＣ値に前記第１の演算手段で求められた差分データを加算することで、第１の基準ＮＰＴ値を求め、
前記ＮＰＴ発火型イベントメッセージの受信時における前記受局ＴＳ内のＳＴＣ値に前記第２の演算手段で求められた差分データを加算することで、第２の基準ＮＰＴ値を求め、
前記第１の基準ＮＰＴ値と前記第２の基準ＮＰＴ値との差分を求め、
この差分データに基づいて、前記ＮＰＴ発火型イベントメッセージの発火時刻を補正するようにしたことを特徴とするＴＳ処理方法。
【発明の詳細な説明】
【技術分野】
【０００１】
この発明は、例えばネット送り局及びネット受け局を中継回線により結ぶネット受信放送システムのネット受け局に用いられ、ネット送り局から送られるＴＳ(Transport Stream)を処理するＴＳ処理装置及びＴＳ処理方法に関する。
【背景技術】
【０００２】
地上波の放送システムにあっては、ネット送り局となる発局及びネット受け局となる受局を中継回線により結ぶネット受信放送システムが構築されている。この受局では、中継回線で受信した放送信号を特定の放送サービスエリアに向けて再度送信している。このとき、発局から受局へＴＳを送出し、受局でＴＳを生成して送出する運用が行なわれることとなっている。しかしながら、この運用では、各受局において発局から送られるＴＳの時間情報を受局で管理している時間情報に付け替えるべくＴＳを再構成するための高価な汎用サーバを用いる必要があり、設備拡張の面で多大なコストがかかる。
【０００３】
なお、従来では、発局から送られる放送ＴＳ及びデータ放送ＴＳを受局に送出し、受局にてＴＳの再構成を行うことなく、放送ＴＳの時間情報とデータ放送ＴＳの時間情報とを合わせる手法が提案されている（例えば、特許文献１）。
【特許文献１】特開２００３−１８９１２１号公報。
【発明の開示】
【発明が解決しようとする課題】
【０００４】
ところで、従来の手法では、発局から送られる放送ＴＳの時間情報とデータ放送ＴＳの時間情報とを受局にて合わせるものであり、例えば発局から送られる放送ＴＳの時間情報を受局で管理している時間情報に合わせるものではない。
【０００５】
そこで、この発明の目的は、受局にて発局から送られるＴＳの再構成を行なうことなく、ＴＳ内の時間情報を受局で管理している時間情報に合わせ得るＴＳ処理装置及びＴＳ処理方法を提供することにある。
【課題を解決するための手段】
【０００６】
この発明は、上記目的を達成するために、以下のように構成される。  
ネット送り局から送られ、サービスごとに時間情報としてのＳＴＣ（System Time Clock）及びＮＰＴ(Normal Play Time)、ＳＴＣ及びＮＰＴの関係を示すＮＰＴ参照メッセージ及びネット送り局の時間情報を示す第１のＰＣＲ（Program Clock Reference）値を含むＴＳ(Transport Stream)を受信するネット受け局に用いられるＴＳ処理装置において、ネット受け局の時間情報を示す第２のＰＣＲ値を発生する発生手段と、ネット送り局からのＴＳを受信して第１のＰＣＲ値を抽出する抽出手段と、第１のＰＣＲ値と第２のＰＣＲ値との差分を求める演算手段と、この演算手段で求められた差分データに基づいて、ＴＳに含まれるＮＰＴ参照メッセージ内のＳＴＣを基準とする基準ＳＴＣ値をサービスごとに補正する補正手段とを備えるようにしたものである。
【０００７】
この構成によれば、ネット受け局に送出装置が存在しない場合に、ネット送り局からのＴＳに含まれているＰＣＲ値を利用して、このＰＣＲ値とネット受け局で管理しているＰＣＲ値との差分からＴＳに含まれるＮＰＴ参照メッセージの基準ＳＴＣ値を補正するための補正信号を作成しているので、ＴＳの再構成を行なうためのサーバを用いることなく、ネット送り局のＴＳの基準ＳＴＣ値をネット受け局の基準ＳＴＣ値に合わせることができる。
【０００８】
ネット送り局から送られ、サービスごとに時間情報としてのＳＴＣ（System Time Clock）及びＮＰＴ(Normal Play Time)、ＳＴＣ及びＮＰＴの関係を示すＮＰＴ参照メッセージ及びＮＰＴ発火型イベントメッセージを含む発局ＴＳ(Transport Stream)を受信し、受局ＴＳを送出するネット受け局に用いられるＴＳ処理装置において、ネット送り局から送られた発局ＴＳ内のＮＰＴを基準とする基準ＮＰＴ値とＳＴＣを基準とする基準ＳＴＣ値との差分を求める第１の演算手段と、受局ＴＳ内のＮＰＴを基準とする基準ＮＰＴ値とＳＴＣを基準とする基準ＳＴＣ値との差分を求める第２の演算手段と、ＮＰＴ発火型イベントメッセージの受信時における発局ＴＳ内のＳＴＣ値に第１の演算手段で求められた差分データを加算することで、第１の基準ＮＰＴ値を求める第３の演算手段と、ＮＰＴ発火型イベントメッセージの受信時における受局ＴＳ内のＳＴＣ値に第２の演算手段で求められた差分データを加算することで、第２の基準ＮＰＴ値を求める第４の演算手段と、第１の基準ＮＰＴ値と第２の基準ＮＰＴ値との差分を求める第５の演算手段と、この第５の演算手段で得られた差分データに基づいて、ＮＰＴ発火型イベントメッセージの発火時刻を補正する補正手段とを備えるようにしたものである。
【０００９】
この構成によれば、ネット受け局に受局ＴＳを送出する送出装置がある場合に、発局ＴＳに含まれる基準ＳＴＣ値、基準ＮＰＴ値及びＮＰＴ発火型イベントメッセージの受信時におけるＳＴＣ値と、受局ＴＳに含まれる基準ＳＴＣ値、基準ＮＰＴ値及びＮＰＴ発火型イベントメッセージの受信時におけるＳＴＣ値とを利用して、ネット送り局から送出されるＮＰＴ発火型イベントメッセージの発火時刻を補正するための補正信号を作成しているので、例えばネット送り局から送られるＣＭデータをネット受け局のＣＭデータに差し替えて送出するような場合でも、ＴＳの再構成を行なうためのサーバを用いることなく、ＮＰＴ発火型イベントメッセージの発火時刻をネット受け局で管理している時刻に補正することができる。
【発明の効果】
【００１０】
以上詳述したようにこの発明によれば、受局にて発局から送られるＴＳの再構成を行なうことなく、ＴＳ内の時間情報を受局で管理している時間情報に合わせ得るＴＳ処理装置及びＴＳ処理方法を提供することができる。
【発明を実施するための最良の形態】
【００１１】
以下、この発明の実施形態について図面を参照して詳細に説明する。  
図１は、この発明のＴＳ処理装置が適用されるネット受信放送の概略構成図である。  
図１において、符号１０はネット送り局としての発局、符号２０はネット受け局としての受局を示している。発局１０は、ＴＳをアンテナ１１から自局が属する放送サービスエリアに向けて送出する。また、発局１０には、放送中継ネットワークＮＷを介して受局２０が接続される。受局２０は、発局１０から放送中継ネットワークＮＷを介して伝送されたＴＳと自局のＴＳとを切り替えて、このＴＳをアンテナ２０１から自局が属する放送サービスエリアに向けて送出する。
【００１２】
（第１の実施形態）  
図２は、この発明の第１の実施形態として上記受局２０内に用いられるＴＳ処理装置の構成を示すブロック図である。ここでは、受局２０に送出装置を備えていない場合について説明する。  
図２において、受局ＰＣＲ抽出器２１は、受局で発生されるＴＳ（以下、受局ＴＳ）を受信し、電圧制御型水晶発振器（ＶＣＸＯ）２２から発振される発振周波数に同期したシステムの時間情報としての受局ＰＣＲを抽出する。
【００１３】
発局ＰＣＲ抽出器２３は、発局１０から送出されるＴＳ（以下、発局ＴＳ）を受信し、予め設定された制御情報（例えば指定ＰＩＤ（パケット識別子）等）により指定ＰＩＤの発局ＰＣＲを抽出する。
【００１４】
これら抽出された受局ＰＣＲ及び発局ＰＣＲは、差分演算器２４にそれぞれ供給される。差分演算器２４は、受局ＰＣＲ値と発局ＰＣＲ値との差分を求める。このＰＣＲ差分値はＮＰＴ補正部２５に供給される。
【００１５】
ＮＰＴ補正部２５には、さらに発局ＴＳに含まれる発局ＮＰＴ(Normal Play Time)参照メッセージ及び発局ＮＰＴ発火型汎用イベントメッセージが供給される。なお、発局ＮＰＴ参照メッセージは、発局ＴＳ内に含まれる時間情報としてのＳＴＣ（System Time Clock）及びＮＰＴの関係を定義するものである。
【００１６】
ＮＰＴ補正部２５は、上記差分演算器２４から出力されるＰＣＲ差分値を発局ＮＰＴ参照メッセージの基準ＳＴＣ値に加算することで、サービス単位で受局２０の基準ＳＴＣ値に補正するものである。なお、ＮＰＴ補正部２５は、発局ＮＰＴ発火型汎用イベントメッセージをタイミング調整してそのままスルーする。
【００１７】
上記構成において、以下にその動作を説明する。  
すなわち、差分演算器２４は、受局ＰＣＲ抽出器２１により抽出される受局ＰＣＲ値と、発局ＰＣＲ抽出器２３により抽出される発局ＰＣＲ値との差分を求める。そして、ＮＰＴ補正部２５は、上記ＰＣＲ差分値をもとに、（１）式に従って発局ＮＰＴ参照メッセージの基準ＳＴＣ値（ＳＴＣreference値）をサービス単位で補正する。
【００１８】
補正後のＳＴＣreference値＝ＳＴＣreference_other＋ＰＣＲ差分値…（１）  
但し、ＳＴＣreference_other：発局ＮＰＴ参照メッセージのＳＴＣreference値
これにより、発局１０と受局２０のＮＰＴ時間軸を合わせることができる。なお、発局ＮＰＴ発火型汎用イベントメッセージは、そのまま送出する。
【００１９】
以上のように上記第１の実施形態では、受局２０に送出装置が存在しない場合に、差分演算器２４にて、発局１０からの発局ＴＳに含まれている発局ＰＣＲ値を利用して、この発局ＰＣＲ値と受局２０で管理している受局ＰＣＲ値との差分から発局ＴＳに含まれる発局ＮＰＴ参照メッセージの基準ＳＴＣ値を補正するための補正信号を作成している。
【００２０】
従って、受局２０において、ＴＳの再構成を行なうためのサーバを用いることなく、発局ＮＰＴ参照メッセージの基準ＳＴＣ値を受局２０の基準ＳＴＣ値に合わせることができる。
【００２１】
（第２の実施形態）  
図３は、この発明の第２の実施形態として上記受局２０内に用いられるＴＳ処理装置の構成を示すブロック図である。ここでは、受局２０に送出装置を備えている場合について説明する。  
図３において、第１の受信部３１は、発局ＴＳに含まれる発局ＮＰＴ参照メッセージを受信し、発局ＳＴＣ抽出器３１１により発局ＳＴＣ値を抽出し、発局ＮＰＴ抽出器３１２により発局ＮＰＴ値を抽出し、差分演算器３１３にて発局ＳＴＣ値と発局ＮＰＴ値との差分を求める。
【００２２】
第２の受信部３２は、送出装置により送出される受局ＴＳに含まれる受局ＮＰＴ参照メッセージを受信し、受局ＳＴＣ抽出器３２１により受局ＳＴＣ値を抽出し、受局ＮＰＴ抽出器３２２により受局ＮＰＴ値を抽出し、差分演算器３２３にて受局ＳＴＣ値と受局ＮＰＴ値との差分を求める。
【００２３】
これら第１，第２の受信部３１，３２における演算結果は、差分演算器３３にそれぞれ供給される。差分演算器３３は、入力された演算結果の差分を求める。この差分値はＮＰＴ補正部３４に供給される。
【００２４】
ＮＰＴ補正部３４には、さらに発局ＴＳに含まれる発局ＮＰＴ発火型汎用イベントメッセージが供給される。ＮＰＴ補正部３４は、上記差分演算器３３から出力される差分値を発局ＮＰＴ発火型汎用イベントメッセージのＮＰＴ発火時刻に加算することで、サービス単位で受局２０のＮＰＴ発火時刻に補正するものである。なお、受局ＮＰＴ発火型汎用イベントメッセージはそのままスルーされる。
【００２５】
上記構成において、以下にその動作を説明する。  
第１，第２の受信部３１，３２では、入力された発局ＮＰＴ参照メッセージ及び受局ＮＰＴ参照メッセージを受信し、それぞれ（２），（３）式に従って発局ＰＣＲ値の差分Ａ及び受局ＰＣＲ値の差分Ｂを求める。
【００２６】
発局ＮＰＴ値、ＰＣＲ値の差分Ａ＝ＮＰＴref_C−ＳＴＣref_C…（２）  
受局ＮＰＴ値、ＰＣＲ値の差分Ｂ＝ＮＰＴref_E−ＳＴＣref_E…（３）  
但し、ＮＰＴref_C：発局ＮＰＴ参照メッセージの基準ＮＰＴ値  
ＳＴＣref_C：発局ＮＰＴ参照メッセージの基準ＳＴＣ値  
ＮＰＴref_E：受局ＮＰＴ参照メッセージの基準ＮＰＴ値  
ＳＴＣref_E：受局ＮＰＴ参照メッセージの基準ＳＴＣ値
そして、差分演算器３３では、発局ＮＰＴ発火型汎用イベントメッセージ受信時のＳＴＣ値及び上記差分Ａ，Ｂから（４），（５）式に従って、発局１０の基準ＮＰＴ値及び受局２０の基準ＮＰＴ値を求める。
【００２７】
ＮＰＴref_C_new＝ＳＴＣ_C＋Ａ…（４）  
ＮＰＴref_E_new＝ＳＴＣ_E＋Ｂ…（５）  
但し、ＮＰＴref_C_new：発局ＮＰＴ基準値  
ＮＰＴref_E_new：受局ＮＰＴ基準値
ＮＰＴ補正部３４では、上記（４），（５）式で求めた値の差分をＮＰＴ発火時刻に加算し補正する。
【００２８】
補正ＮＰＴ発火時刻＝ＮＰＴ発火時刻＋（ＮＰＴref_C_new−ＮＰＴref_E_new）…（６）
以上のように上記第２の実施形態では、受局２０に受局ＴＳを送出する送出装置がある場合に、差分演算器３３にて、発局ＴＳに含まれる基準ＳＴＣ値、基準ＮＰＴ値及びＮＰＴ発火型イベントメッセージの受信時におけるＳＴＣ値と、受局ＴＳに含まれる基準ＳＴＣ値、基準ＮＰＴ値及びＮＰＴ発火型イベントメッセージの受信時におけるＳＴＣ値とを利用して、発局１０から送出されるＮＰＴ発火型イベントメッセージのＮＰＴ発火時刻を補正するための補正信号を作成している。
【００２９】
従って、例えば発局１０から送られるＣＭデータを受局２０のＣＭデータに差し替えて送出するような場合でも、ＴＳの再構成を行なうためのサーバを用いることなく、ＮＰＴ発火型イベントメッセージの発火時刻を受局２０で管理している時刻に補正することができる。
【００３０】
（その他の実施形態）  
この発明は、上記各実施形態に限定されるものではない。例えば、上記実施形態では、ＴＳ受信系統を２系統としたが、さらに系統数を増加しても同様に実施可能である。
【００３１】
上記第１及び第２の実施形態を組み合わせてもよい。この場合、使用状況に応じて、第１の実施形態による構成及び第２の実施形態による構成を選択すればよい。
【００３２】
その他、システム構成、ＴＳ処理装置の構成、時間情報の補正手順等についても、この発明の要旨を逸脱しない範囲で種々変形して実施できる。
【図面の簡単な説明】
【００３３】
【図１】この発明のＴＳ処理装置が適用されるネット受信放送の概略構成図。
【図２】この発明の第１の実施形態としてのＴＳ処理装置の構成を示すブロック図。
【図３】この発明の第２の実施形態としてのＴＳ処理装置の構成を示すブロック図。
【符号の説明】
【００３４】
１０…発局、１１，２０１…アンテナ、２０…受局、２１…受局ＰＣＲ抽出器、２２…電圧制御型水晶発振器（ＶＣＸＯ）、２３…発局ＰＣＲ抽出器、２４，３３，３１３，３２３…差分演算器、２５、３４…ＮＰＴ補正部、３１…第１の受信部、３２…第２の受信部、３１１…発局ＳＴＣ抽出器、３１２…発局ＮＰＴ抽出器、３２１…受局ＳＴＣ抽出器、３２２…受局ＮＰＴ抽出器、ＮＷ…放送中継ネットワーク。
【図１】
0004703431.tif 000002
【図２】
0004703431.tif 000003
【図３】
0004703431.tif 000004